(57)【要約】【課題】  靴下の簡便確実な挿着化。【解決手段】足型シート１の先端部を短にて上方手前にカール状２化し、正反側に適宜長の握り引手部３を形成した靴下挿着具もって解決。【選択図】  図１
2006051322.tif 000002
【特許請求の範囲】
【請求項１】
座布団状素材裏底面の全面又は、一部面に一方向性特殊ナイロン（スパンナイロンモケット）繊維を定方向状に配した回転横移動介助具。
【発明の詳細な説明】
【発明の詳細な説明】
【技術分野】
【０００１】  座布団及び、車用座席シート・身障者老人等の介助介護具に関する。
【背景技術】
【０００２】  機能性有した座布団・座面シートは少なく、特に車用は皆無に等しい。
【発明の開示】
【発明が解決しようとする課題】
【０００３】  主に、車への乗込み・方向変換・横移動等は、身障者、足腰の弱くなられた方にとって苦痛で、又、要介護者の場合は、介助介護保護者側も大変であった。
【課題を解決するための手段】
【０００４】  スムーズに横移動しかし、止めた位置にて微動だせず、特に前方には許されず、このあい相反する機能を満たす為、スパンナイロンモケット繊維を使う。
【発明の効果】
【０００５】  シンプル・薄箔状にて違和感なく、スパンナイロンモケット繊維の特長特性にて楽に、介助介護者の必要に応じた座台押し・引きが出来、安全快適に横移動が可能となり且つ、止めた位置にて動かず特に前方には微動だせず、方向変換機能も持つ。
【発明を実施するための最良の形態】
【０００６】  本発明介助具は、車乗込み時に座布団状として、敷いて使う。
【実施例】
【０００７】  一実施例を図１（Ａ・Ｂ）イラスト図で示し、説明する。【０００８】  本介助具は、座布団状の形状で主に座台１・座面２にて構成、本実施例では座台１略  ４５０ｍｍ□で、一対の辺中央両端部に突き出て取手部３が一体で形成され、中央には座面２との回転連結用の穴孔、底面には両取手に対し直交方向で、適宜の配置と面積持つスパンナイロンモケット５繊維を同一繊維傾斜筋目で溶着接着等もって、完全接合された物で素材は、独立中空層有すポリプロピレン材ボードシート材等。
座面２は、略  ４５０ｍｍΦの円形状座面で、同じく回転連結用穴孔が有り、連結ピン６にてセット（必要性能に応じ、滑り材テフロンシート材７等介す。）され、その素材も座台１と同材であるが表皮面、クッション性有るスポンジシート・ゲル状材等挟んだ仕上げ材でも良い。【０００９】  因って組合されたこの介助具は、使途する所が変形柔らかくても、腰の強さ適度な硬度・滑り性有る素材にて、柔軟に追随滑らす事も又、止め留める事も、方向変換の座面回転など可能とし、座台１の移動方向４は必然的に決まる。【００１０】  スパンナイロンモケットの特性を生かした、新たな用途を創り出したもので有る。【００１１】  使用方法は、車等の座席シート（ベンチシート）上に、スパンナイロンモケットの逆らう筋目８を前方にして敷き、その座面２に横向きに着座、回転（座面２）させ前向きにし、座台１ごと直接横（奥）へ押込むとスムーズに横移動、しかし、止めた位置でピタリと止まり動かず、又、降車時は、取手部３持ってドァ近くまで引寄せ、座面２を回転させ降りて頂く簡便な介助用座布団。
【産業上の利用可能性】
【００１２】  医療医学の発達・食生活改善等にて長寿命化が進み、医療介護介助の対策は、サービス産業の重要なテーマあり、安全・安価な介助具提供も同じと考えられる又、一般家庭やタクシー業務のサービス向上等にも寄与される。
【図面の簡単な説明】
【００１３】
【図１】Ａは、本発明、全体見取図である。Ｂは、座台裏面部の見取図である。
【符号の説明】
【００１４】  １      座台                            ５      スパンナイロンモケット
２      座面                            ６      連結ピン（オス・メス）
３      取手部                          ７      テフロンシート材
４      移動方向                        ８      筋目
【図１】
2006051322.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
足幅細長状シートの爪先先端部が、短にて上方若しくは手前にカール又は、カール状成し得る折目等有し、正反部分が細幅状握り引手部有す、靴下挿着具。
【手続補正３】
【補正対象書類名】明細書
【補正対象項目名】全文
【補正方法】変更
【補正の内容】
【発明の詳細な説明】
【技術分野】
【０００１】
一般家庭学校スポーツ系現場の日用雑貨及び、身障者老人等の介助介護用靴下挿着に関する。
【背景技術】
【０００２】
靴下を簡易に挿着し得る機能有した超安価な介助用挿着具は、無かった。
【発明の開示】
【発明が解決しようとする課題】
【０００３】
身障者・身体レベルの衰えた方にとって靴下履きは大変苦痛で又、要介護者の場合の挿着作業は、介助介護保護者側も大変であった。
【課題を解決するための手段】
【０００４】
靴下挿着を何方でもが簡便スムーズに出来る様、従来から有る靴ベラ的単純な考え方を、滑り性有し、若干腰ある素材の先端カール部とした足幅の細長状シート材にて解決。
【発明の効果】
【０００５】
薄箔状シートにて違和感なく確実簡単簡便一揆に靴下挿着でき、利用者・介助介護者共に負担解消され手軽にADL向上自立化図れ又、一般総ての人も使える物とした。
【発明を実施するための最良の形態】
【０００６】
一般家庭にても使用可で有るが、主に諸施設（ディケァ・通所リハ）現場入浴後の靴下挿着行為時・介助補助用及び、スポーツ系の場にて使用する。
【実施例】
【０００７】
適宜な硬度有し且つ、滑り性持つ薄箔シート材から成る、足型シート１で爪先先端部が図示の様に上方手前に短くカール状２に成型、正反部分は適宜長の握り引手部３とし本実施例では、エンド部までを突起部５としその位置にリング穴４形成した物である。
【０００８】
使用法は、足型シート１の上に素足を載せ（爪先をカール部近くに置き）、靴下の先口より先端まで引き入れ、握り引手部３もしくは、リング穴４に指を掛け一揆に引き抜くと挿着完了と成る。
【０００９】
本挿着具は、左右足兼用で又、カール状２部分を折目などもってそのカール目的（挿入性）の代用としても良い。
又、素材は、半硬質樹脂シート材等で有るが図２の様にコスト高ではあるが飲料用空PETボトル６（２L入り等）をカットした環境に配慮した再生品でも良く、目的機能強度等有せれば適宜な別素材（紙・樹脂ペーパー・シート等）でも良く超安価に製造できる又、衛生面を考え抗菌処理したものでも良い。
使用する靴下の種類・質・長さ・強さ等問わず、重ね履きも楽々である。
【産業上の利用可能性】
【００１０】
医療医学の発達・食生活改善等にて長寿命化が進み医療介護介助の対策は、サービス産業の重要なテーマで有り確実・安価な介助具提供も同じと考えられる又、一般家庭スポーツ系現場でも使用でき利用範囲は広い。
【図面の簡単な説明】
【００１１】
【図１】本発明を示すイラスト図。
【図２】PETボトル再利用法のカット例図で有る。
【符号の説明】
【００１２】
１  足型シート
２  カール状
３  握り引手部
４  リング穴
５  突起部
６  PETボトル
【手続補正４】
【補正対象書類名】図面
【補正対象項目名】全図
【補正方法】変更
【補正の内容】
【図１】
2006051322.tif 000004
【図２】
2006051322.tif 000005